(57)【特許請求の範囲】
【請求項１】
塵埃を吸引する吸引風を発する電動送風機と、前記電動送風機に電源を供給する電源コードを本体内に収納するためのコードリールを備え、前記電源コードを本体より取り出すコード出口部を本体外郭に設けるとともに、前記電動送風機の運転時に、前記電動送風機から発せられ前記コード出口部から大気へ放出される排気のうち、少なくとも一部の排気が大気へ放出されるのを防止する毛ブラシを前記コード出口部に設け、前記毛ブラシを構成する毛の密度を、毛ブラシの中央部範囲のみ小さく、両端部の範囲は大きくして毛ブラシを構成した電気掃除機。
【請求項２】
塵埃を吸引する吸引風を発する電動送風機と、前記電動送風機に電源を供給する電源コードを本体内に収納するためのコードリールを備え、前記電源コードを本体より取り出すコード出口部を本体外郭に設けるとともに、前記電動送風機の運転時に、前記電動送風機から発せられ前記コード出口部から大気へ放出される排気のうち、少なくとも一部の排気が大気へ放出されるのを防止する毛ブラシを前記コード出口部に設け、前記毛ブラシを、巻き取り時に電源コードの表面を接する程度の長さのものと、コード出口の高さ以上のものからなる突出代の異なる複数のブラシ群から形成し、巻き取り時に電源コードの表面を接する程度の長さのブラシ群は硬質の毛から、コード出口の高さ以上のブラシ群は軟質の毛から構成した電気掃除機。
【発明の詳細な説明】
【０００１】
【発明の属する技術分野】
本発明は、運転中のコード出口からの排気風を抑えると同時に、電源コード巻取り時に電源コードに付着した埃等を除去する電気掃除機に関するものである。
【０００２】
【従来の技術】
従来の電気掃除機について、図２３〜２５を用いて説明する。
【０００３】
従来の電気掃除機の本体にあっては、外郭を形成する下カバー体１０１の前方に、吸込口１０２に連通するとともに、集塵袋１０３を着脱自在に収納する集塵室１０４と、前記集塵室１０４の後方には吸引風を発生する電動送風機１０５を収納する電動送風機室１０６を設け、前記集塵室１０４と前記電動送風機室１０６とは仕切壁１０７にて区画形成し、前記電動送風機１０５は前記仕切壁１０７に設けた連通口１０８を介して、前記集塵室１０４より空気を吸引している。前記集塵室１０４の上方開口は上カバー体１０９に軸支された開閉自在の蓋体１１０で覆われている。また、前記電動送風機室１０６に隣接して、電動送風機１０５に電源を供給するための電源コード１１１を収納するコードリール室１１２を設けており、前記コードリール室１１２は、前記電源コード１１１を巻き付けたコードリール１１３と、コードリール１１３を軸支する隔壁１１４と、コードリール１１３の回転をロックするためのロック部１１５と、前記ロック部１１５を解除する、回動自在に隔壁１１４に軸支されて、かつバネで付勢されたブレーキペダル１１６とで構成されており、前記隔壁１１４によりコードリール室１１２は前記電動送風機室１０６と区画形成されている。前記コードリール１１３には、ドラム自体を回転可能にするための支軸１１７とゼンマイバネ１１８が内臓されており、前記ゼンマイバネ１１８は一端をコードリール１１３側に、他端を前記支軸１１７に保持させ、引き出した電源コード１１１を前記ゼンマイバネ１１８の復元力によって電源コード１１１を巻き取る構成になっている。また、前記隔壁１１４側面には電動送風機室１０６側より排気風を取り入れるための通気孔１１９を設けており、これは運転時の電源コード１１１の発熱に対して冷却させる目的で設けている。そして、本体外郭の後面上部、もしくは下部にコード出口部１２０を設けており、本体内に前記電源コード１１１を収納した際、コードプラグ１２１は前記コード出口部１２０で保持、収納される構成となっている。
【０００４】
【発明が解決しようとする課題】
しかしながら、通常、電動送風機１０５の排気風を外に出すために、本体の外郭部で、かつ本体内側にフィルター（図示せず）を備えた排気口１２２を設けているが、上記従来の構成では、隔壁１１４に設けた電源コード１１１冷却のための通気孔１１９を通ってコードリール室内１１２に入ってきた電動送風機１０５からの排気風は、コード出口部１２０よりフィルターを通過せずに、直接大気中に出てしまうため、前記排気口１２２より出た排気風に比べ、電動送風機１０５の上流側で取りきれなかった微塵を含んだ状態となってしまい、清潔感を損なってしまう。また、電源コード１１１巻き取る際に、電源コード１１１は絨毯上などを擦れながら引き込まれていくため、絨毯毛など細塵がコード表面に付着した状態で巻き取られる可能性があり、コードリール室１１２内にそういった細塵が入りこむことでコードリール１１３をロックする部分でロック部１１５がスリップする現象が発生する可能性がある。
【０００５】
本発明は上記課題を解決するものであり、運転時、コード出口部より排気が出るのを抑え、かつ、電源コード巻き取り時にコード表面に付着した細塵を除去して、コード巻き取りの機能性を向上させた掃除機本体を提供することを目的とする。
【０００６】
【課題を解決するための手段】
上記目的を達成するために本発明は、塵埃を吸引する吸引風を発する電動送風機と、前記電動送風機に電源を供給する電源コードを本体内に収納するためのコードリールを備え、前記電源コードを本体より取り出すコード出口部を本体外郭に設けるとともに、前記電動送風機の運転時に、前記電動送風機から発せられ前記コード出口部から大気へ放出される排気のうち、少なくとも一部の排気が大気へ放出されるのを防止する毛ブラシを前記コード出口部に設け、前記毛ブラシを構成する毛の密度を、毛ブラシの中央部範囲のみ小さく、両端部の範囲は大きくして毛ブラシを構成したことにより、コード出口部より排気が出るのを抑えることができ、排気による不快感及び床面の塵ゴミの舞い上げを抑制することができる。
【０００７】
【発明の実施の形態】
本発明の請求項１記載の発明は、塵埃を吸引する吸引風を発する電動送風機と、前記電動送風機に電源を供給する電源コードを本体内に収納するためのコードリールを備え、前記電源コードを本体より取り出すコード出口部を本体外郭に設けるとともに、前記電動送風機の運転時に、前記電動送風機から発せられ前記コード出口部から大気へ放出される排気のうち、少なくとも一部の排気が大気へ放出されるのを防止する毛ブラシを前記コード出口部に設け、前記毛ブラシを構成する毛の密度を、毛ブラシの中央部範囲のみ小さく、両端部の範囲は大きくして毛ブラシを構成したことにより、密度の大きい両端部の毛ブラシの反発抵抗に押されて、電源コードは常に中央の毛ブラシの密度の小さい範囲に寄せられるようになるため、コード出口部の開口部分は、電源コードの周囲を毛ブラシで塞がれ、電源コードと毛ブラシとの隙間の発生を小さくすることができ、さらに両端部の範囲は密度の大きい毛ブラシであるため、排気の遮蔽性を向上させることができる。
【０００８】
本発明の請求項２記載の発明は、塵埃を吸引する吸引風を発する電動送風機と、前記電動送風機に電源を供給する電源コードを本体内に収納するためのコードリールを備え、前記電源コードを本体より取り出すコード出口部を本体外郭に設けるとともに、前記電動送風機の運転時に、前記電動送風機から発せられ前記コード出口部から大気へ放出される排気のうち、少なくとも一部の排気が大気へ放出されるのを防止する毛ブラシを前記コード出口部に設け、前記毛ブラシを、巻き取り時に電源コードの表面を接する程度の長さのものと、コード出口の高さ以上のものからなる突出代の異なる複数のブラシ群から形成し、巻き取り時に電源コードの表面を接する程度の長さのブラシ群は硬質の毛から、コード出口の高さ以上のブラシ群は軟質の毛から構成し、かつ、硬質の毛ブラシ郡をコード出口側に配置したことにより、硬質の毛は電源コードの表面を確実に除去し、軟質の毛は電源コードの出入りする方向に沿って曲がり易く、コード表面と毛ブラシの接触面積を増し、かつ前記軟質の毛が排気風圧でなびこうとするのを硬質の毛で抑えられるために、排気の遮蔽を確実にすることができる。
【０００９】
【実施例】
（実施例１）
以下、本発明の第一の実施例を図１〜７を用いて説明する。
【００１０】
図において、１は掃除機本体であり、外郭を形成する下カバー体２の前方に、吸込口３に連通するとともに、集塵袋４を着脱自在に収納する集塵室５と、集塵室５の後方には吸引風を発生する電動送風機６を収納する電動送風機室７を設け、集塵室５と電動送風機室７とは仕切壁８にて区画形成し、仕切壁８に設けた連通口９を通して、集塵室５より空気を吸引している。電動送風機６はファン部１０と電動コイル部１１とから成り、電動送風機６のファン部１０前面には、断面が略Ｌ字状の発砲ゴム材等で形成したクッション１２を取り付け、また、電動コイル部１１後方には、ゴム材で形成したクッション１２を取りつけ、電動送風機室７の上方を覆い、かつ外郭の一部を形成する上カバー体１３、及び下カバー体２に設けた前後の保持リブ１４、及び保持ボス１５で、電動送風機６の前後のクッション１２を挟みこんで電動送風機６を保持すると共に、このクッション１２によって電動送風機６からの振動が本体外郭に伝播するのを防いでいる。集塵室５の上方開口は上カバー体１３に軸支された開閉自在の蓋体１６で覆われており、下カバー２の集塵室５の開口縁１７とその開口縁１７に相対するように蓋体１６に設けたリブ壁１８との間にタイトのためのパッキン１９を設け、集塵室５の気密性を確保している。電動送風機室７に隣接して、電動送風機６に電源を供給するための電源コード２０を収納するコードリール室２１を設けており、前記コードリール室２１は、前記電源コード２０を巻き付けたコードリール２２（図４）と、コードリール２２を軸支する隔壁２３と、コードリール２２の回転をロックするためのロック部２４と、ロック部２４を解除し、回動自在に隔壁２３に軸支されて、かつバネで付勢されたブレーキペダル２５とで構成されており、隔壁２３によりコードリール室２１と電動送風機室７とは区画形成されている。コードリール２２には、ドラム自体を回転可能にするための支軸２６とゼンマイバネ２７が内臓されており、ゼンマイバネ２７の一端をコードリール２２側に、他端を支軸２６に保持させ、引き出した電源コード２０をゼンマイバネ２７の復元力によって電源コード２０を巻き取る構成になっている。また、隔壁２３側面には電動送風機室７側より排気風を取り入れるための通気孔２８を設けており、これは運転時の電源コード２０の発熱に対して冷却させる目的で設けている。そして、本体外郭の後方上部にコード出口部２９を設けており、本体内に前記電源コード２０を収納した際、コードプラグ３０はコード出口部２９で保持、収納される構成となっている。本体の外郭後面に排気口３１を設けており、この排気口３１の本体内側には排気風に含まれた微塵を除去するフィルター３２を設け、かつこの排気口３１からは、電動送風機室７のからの排気、及び、コードリール室２１からの排気がフィルター３２を通過して排気口３１より大気中に排出されるように構成している。
【００１１】
次に、コード出口部２９より一部の排気が大気中へ放出されるのを防止する排気放出防止手段について説明する。コード出口部２９は、電源コード２０を本体内に収納したときにコードプラグ３０を保持する略コの字状の保持体３３を隔壁２３に一体に形成しており、この保持体３３は上カバー体１３の外郭に設けたコード出口部分２９で保持され、また、上カバー体１３のコード出口部分２９はコードプラグ３０の一部を覆うように形成している。隔壁２３の保持体３３上部に保持溝３４を設けており、この保持溝３４に排気放出防止手段である毛ブラシ３５を挿入して保持し、毛ブラシ３５はコード出口部の開口部分を塞ぐように長くしている。ここで、毛ブラシ３５について説明する。毛ブラシ３５は、下地３６の生地にブラシ部３７となる糸を縫い込み、毛先となる部分をカットし、下地３６に縫い込んだ部分を接着剤等で接着している。下地３６はブラシ部３７の幅よりも幾分幅広くカットし、この下地３６部分を保持溝３４に挿入して、毛ブラシ３５を保持している。
【００１２】
上記構成によって、コード出口部２９からの排気を、毛ブラシ３５の重なり合う部分で遮断して排出されるのを抑え、排気が足元にあたる不快感及び排気風による床面の塵ゴミの舞い上げを抑制することができる。また、微塵を含んだ排気を抑えることで、部屋の空気を汚さず、清潔感を増すことができる。また、かつ毛ブラシ３５の毛先で、電源コード２０巻き取り時にコード表面に付着した絨毯毛などの細塵を除去して、コードリール室２１内に細塵が入りこむことを防止でき、その結果、コードリール２２をロックする部分でロック部２４が細塵でスリップする現象等を防ぎ、コード巻き取りの機能性を向上させることができる。
【００１３】
また、毛ブラシ３はコード出口部２９の上部に設けており、毛ブラシ３５の長さは排気の遮蔽効果を得るためにコード出口部の高さ以上に設定しているために、毛ブラシ３５が電源コード２０の出入りする方向に沿って曲がり易くなり、コード表面２０と毛ブラシ３５との接触面積が増え、コード表面に付着した細塵を確実に除去することができる。
【００１４】
毛ブラシ３５の取り付け構成について、さらに排気放出防止手段としての効果を向上させるための別の実施例として、図８に示すように、毛ブラシ３５をコード出口部２９の上方部および下方部に設け、上下の毛ブラシ３５の長さを互いに幾らか重なるように設定することで、コード表面に付着した細塵に対し、電源コード２０の全周表面を確実に除去することができると共に、上下に毛ブラシ３５を設けることで毛ブラシ３５の毛の長さは短くなるため、毛ブラシ３５の倒れが少なくなるので、電源コード２０の全周が隙間無く毛ブラシ３５に覆われるようになり、また、排気風の圧力で毛ブラシ３５がコード出口側２９になびいたとしても、上下の毛ブラシ３５が重なり合っているために、コード出口部２９の開口部分は確実に毛ブラシで塞がれた状態となり、排気の遮蔽効果を向上させることができる。また、下方部に設けた毛ブラシ３５の反発力によりコード出口部２９の下面部と電源コード２０との摺動抵抗が減り、電源コード２９の出し入れ操作がスムーズになる。
【００１５】
ここで、上下に毛ブラシ３５を配置させるために、図９に示すように、毛ブラシ３５をＵ字状に折り曲げた状態で、保持体３３の上下に設けた保持溝３４に挿入することで、組立性を向上させることができる。
【００１６】
次に、毛ブラシ３５の構成について、さらに排気放出防止手段、及びコード表面の細塵除去手段を向上させるための別の実施例を説明する。
【００１７】
一つめの別の実施例は、図１０に示すように、毛ブラシ３５の一部を、電源コード２０のコード径に合わせて部分的に切り欠き部３８を設けたものである。
【００１８】
長い毛ブラシ３５の場合、電源コード２０によって左右に掻き分けられ、電源コード２０と毛ブラシ３５との間に隙間を生じる可能性があるが、上記構成によって、コード出口部２９と電源コード２０との空間を隙間なく毛ブラシ３５で塞ぐことができ、また、引き出した電源コード２０は毛ブラシ３５の反発によって、切り欠き部分３８に寄せられるために、コード出口部２９からの排気の遮蔽効果は向上する。また、電源コード２０を本体内に巻き取り、コードプラグ３０を収納した状態のときにおいても、電源コードによる毛ブラシ３５への押さえつけが少なくなるため、毛ブラシ３５の癖つきの発生を抑えることができ、毛ブラシ３５の効果を持続させることができる。
【００１９】
二つめの別の実施例は、図１１に示すように、毛ブラシ３５を構成する一定面積における毛の本数を示す密度を、毛質は同じで、かつ同じ植毛をする幅において、毛ブラシ３５の中央部分の範囲は密度を小さくし、それに対して両端部の範囲はその密度を大きくして毛ブラシ３５を構成したものである。
【００２０】
上記構成によって、密度の大きい両端部の毛ブラシ３５の反発抵抗に押されて、電源コード２０は常に中央の毛ブラシの密度の小さい範囲に寄せられるようになるため、コード出口部２９は、電源コード２０の周囲を毛ブラシ３５で確実に塞がれ、電源コード２０と毛ブラシ３５との隙間の発生を小さくすることができ、さらに両端部の範囲は密度の大きい毛ブラシであるため、排気の遮蔽性を向上させることができる。
【００２１】
ここで、毛ブラシ３５の毛の本数の密度を変えるのではなく、毛質を変えて、中央部分の毛質は軟質の毛を、両端の毛質は硬質の毛で下地の生地に植毛した毛ブラシ３５で構成した場合でも同様の効果を得ることができる。
【００２２】
三つめの別の実施例は、図１２に示すように、毛ブラシ３５を、巻き取り時に電源コード２０の表面を接する程度の長さのものと、コード出口部２９の開口部分の高さ以上のものからなる突出代の異なる複数のブラシ群から形成し、巻き取り時に電源コード２０の表面を接する程度の長さのブラシ群は硬質の毛３９から、コード出口部２９の高さ以上のブラシ群は軟質の毛４０から構成し、かつ、硬質の毛ブラシ郡３９をコード出口側２９に配置したことにより、硬質の毛３９の毛先がコード表面を擦れながらコード表面に付着した細塵を除去すると同時に、軟質の毛４０は電源コード２０の出入りする方向に沿って曲がり易く、コード表面と毛ブラシの接触面積が増えることで、硬質の毛ブラシ郡３９で除去できなかった細塵を除去することができ、コード表面の細塵の除去性は向上する。また、コード出口部２９からの排気の遮蔽においては、電源コード２０を引き出した状態では、電源コード２０はコード出口部分２９の下端に接地しており、コード出口部２９の上端から電源コード２０の上端までの空間における開口面積が大きく、排気流量が多くなる部分については、硬質の毛ブラシ郡３９と軟質の毛ブラシ郡４０により排気の遮蔽を行い、電源コード２０の左右については、硬質の毛３９の高さよりも飛び出した軟質の毛ブラシ４０の部分で排気の遮蔽を行う構成であるが、排気の圧力のよって軟質の毛ブラシ４０はコード出口部側２９になびこうとするのに対し、硬質の毛ブラシ郡３９が突っ張りとなり、軟質の毛４０は、硬質の毛３０の毛先より飛び出した部分だけがなびくために、そのなびく量は少なくなり、よってコード出口部２９の開口部分の遮蔽性は向上する。
【００２３】
四つめの別の実施例は、図１３に示すように、軟質の毛４０から構成されたブラシ群にて、硬質の毛３９から構成されたブラシ群を挟み込んで毛ブラシ３５を形成したものである。
【００２４】
上記構成によって、先述の三つめの別の実施例で示した毛ブラシ３５の構成に比べ、三つめの別の実施例では、電源コード２０の引出し、及び巻き取り時において、電源コード２０の上部表面は、硬質の毛ブラシ３９と湾曲して接触面積が増大した軟質の毛ブラシ４０とで細塵が除去されるが、電源コードの左右においては、軟質の毛ブラシ４０との接触面積が少ないため、その分、上端と比べ除去量が減少してしまうが、ブラシ郡を三重に配置したことで、電源コード２０の左右の表面は二重の軟質の毛ブラシ４０が接触するため、細塵の除去性がさらに向上し、かつ、コード出口部２９の開口部分は三重の毛ブラシ郡によって塞がれるために、さらに排気の遮蔽性は向上する。
【００２５】
五つめの別の実施例は、図１４に示すように、中央溝部を設けた断面略Ｔ字状の保持部４１をゴム材等の軟質素材で形成し、毛ブラシ３５の根元部分を挟み込んで保持し、毛ブラシ３５と一体化させている。この一体化した毛ブラシ３５の根元の保持部４１をコード出口部２９の保持溝３４に挿入して毛ブラシ３５を保持するよう取り付けている。
【００２６】
上記構成によって、毛ブラシ３５の根元が軟質素材での挟み込みにより、毛ブラシ３５の腰が強くなるために、排気風の圧力によって毛ブラシ３５がなびくのは抑えられ、排気の遮蔽効果が向上すると共に、また、コード表面と毛ブラシ３５の接触圧力及び接触面積が増え、コード表面に付着した細塵を確実に除去することができる。
【００２７】
（実施例２）
以下、本発明の第二の実施例を図１５を用いて説明する。
【００２８】
図において、コード出口部２９の一部を形成する、隔壁２３に設けた略コの字状の保持体３３の上部に、排気放出防止手段である毛ブラシ３５が上下にスライド可能となるような溝部４２を設け、この溝部４２内に毛ブラシ３５を収め、毛ブラシ３５とコード出口部２９の天面内側との間には、バネ４３を設け、このバネ４３により毛ブラシ３５は上下方向に付勢させており、バネ４３が自由長の状態で、毛ブラシ３５のコード出口部２９の開口部分からの飛び出し量は、コード出口部２９の高さ方向を塞ぐだけの長さとなるように設定している。また、毛ブラシ３５の保持部４４には傾斜面を持った凸部４５をコード出口側２９に飛び出すように設けており、図のように電源コードを本体内巻き込んで収納した状態、すなわち、コードプラグ３０をコード出口部２９で保持、収納させた状態にしたときに、コードプラグ３０のフランジ部４６に毛ブラシ３５に設けた凸部４５に当たって毛ブラシ３５は溝部４１をスライドして上方に持ち上げられ、毛ブラシ３５のコード出口部２９からの飛び出し量は、電源コード２０の上端に擦れる程度となる。
【００２９】
上記構成によって、電源コード２０を引き出した状態、及び、電源コード２０を巻き取る際には、コード出口部２９の開口部分の高さ方向に塞ぐように毛ブラシ３５は飛び出しているために、実施例１で述べたように、毛ブラシ３５による排気の遮蔽効果、また、毛ブラシ３５による電源コード２０表面に付着した細塵の除去効果は得られ、電源コード２０を巻き取り、コードプラグ３０をコード出口部２９に収納した状態では、毛ブラシ３５は押し上げられてコード表面にほとんど触れないため、本体収納状態で放置した時に、電源コード２０に押されて癖つきが発生することにより、排気の遮蔽効果を劣化させる、また、細塵の除去効果を劣化させるといったことは生じないため、毛ブラシ３５による排気の遮蔽効果及びコード表面の細塵の除去効果を持続させることができる。
【００３０】
また、毛ブラシ３５の移動に連動させる別の実施例として、図１６に示すように、毛ブラシ３５を上下方向に移動可能となるようにコード出口部２９の一部を形成する保持体３３に取り付け、毛ブラシ３５はバネ４３で付勢しており、バネ４３が自然長の状態では、毛ブラシ３５のコード出口ぶ２９の開口部分からの飛び出し量は、電源コード２０の上端に幾らか擦れる程度の長さとなるように設定している。毛ブラシ３５の保持部４４には本体内側方向に飛び出すように凸部４６を設けており、コードリール２２のロック状態を解除するようにブレーキペダル２５を押すと、ブレーキペダル２５の後端底部が毛ブラシ３５の保持部に設けた凸部４６に当たって毛ブラシ３５を押し下げて、毛ブラシ３５の電源コード２０への接触面積が増える。
【００３１】
上記構成によって、ブレーキペダル２５を操作することでコード表面に付着した細塵の除去効果を得ることができる。また、ブレーキペダル２５を操作していない状態では毛ブラシ３５は電源コード２０に擦れている程度であるため、毛ブラシ３５が電源コード２０に押されて癖つきが発生し、その効果が劣化するといった状態は発生しない。ここで、電源コード２０を引き出し、掃除機を運転した状態では、毛ブラシ３５はコード出口部２９の開口部分の電源コード２０より上方の開口部空間を塞いだ状態であり、この部分では排気の遮蔽効果は発生するが、電源コード２０の左右において空間が生じてしまうため、この部分からの排気が外へ放出されてしまう。そこで、実施例１で述べた毛ブラシ３５の一部を電源コード３５の径に合わせて切り欠き部３８を設けた毛ブラシ３５を用い、ブレーキペダル２５を操作しない状態では、毛ブラシ３５の切り欠き部分３８が電源コード２０の外径に一致するように毛ブラシ３５のコード出口部２９からの飛び出し量を設定すれば、排気の遮蔽効果はさらに向上させることができる。
【００３２】
ここで、上述の構成は、毛ブラシ３５を上下方向にスライド可能となるように保持した構成であるが、コードプラグ３０、及びブレーキペダル２５の操作に連動して毛ブラシ３５が動作する構成については、図１７及び１８に示すように、毛ブラシ３５を保持体３３の上部において、回動自在に軸支し、バネで毛ブラシ３５の動きを付勢して、毛ブラシ３５の保持部４４に凸部４５、４７を設けることで、上記の毛ブラシ３５を上下方向にスライドさせる実施例と同様の毛ブラシの機能、及び効果を得ることができる。
【００３３】
（実施例３）
以下、本発明の第三の実施例を図１９を用いて説明する。
【００３４】
図において、コード出口部２９を本体の上部に設けており、コード出口部２９に収納したコードプラグ３０を覆うようにカバー体４８を設けている。カバー体４８はコード出口部２９の一部を形成する保持体３３の上部に、回動自在に軸支しており、カバー体４８には支軸を対称にカバー側とは反対側に排気放出防止手段である毛ブラシ３５を設けている。この毛ブラシ３５は、カバー体４８でコードプラグ３０を覆っている時には、電源コード２０の表面に擦れず、カバー体４８を開けたときに、毛ブラシ３５が電源コード２０外周に接触し、コード出口部２９の開口部分を塞ぐように位置させている。カバー体４８の一部に係合部４９を設け、隔壁２３に設けた被係合部５０にカバー体４８を開けたときに係合させてカバー体４８が保持されるようにしている。また、カバー体４８には軸部よりコードプラグ側３０に凸部５１を設け、カバー体４８を開けるとコードプラグ３０がこの凸部５１に押し出され、電源コード２０を巻き取り、コードプラグ３０をコード出口部２９に収納した時には、コードプラグ３０のフランジ部４６に当たってカバー体４８は自動的に閉じる。
【００３５】
上記構成によって、電源コード２０を収納した状態では、コードプラグ部３０をカバー体４８で完全に覆うことで、コードプラグ３０の先刃による床面への傷付きを防止すると共に、本体運転時、すなわち、カバー体４８を空けた状態においてのみ、カバー体４８の開口に連動して毛ブラシ３５がコード出口部２９の開口部を塞ぎ、かつコード表面に擦れるようになって、コード出口部２８からの排気を遮蔽し、電源コード巻取り時には、コード表面に付着した細塵を除去し、コードプラグ３０が収納された時は、カバー体が閉まって毛ブラシは電源コード２０に触れないため、本体保管時に毛ブラシ３５が電源コード２０によって掻き分けられて癖つきが生じることはなく、運転時、常に直毛の毛ブラシ３５でコード出口部３５を塞ぐことができ、排気放出防止機能、及び電源コード２０に付着した細塵除去機能の効果を持続させることができる。
【００３６】
（実施例４）
以下、本発明の第四の実施例を図２０、２１を用いて説明する。
【００３７】
図において、コード出口部２９の一部を形成する保持体３３上部の断面を略コの字状に形成し、この保持体３３の上部と外郭のコード出口内面とで囲われた空気通路５２を形成し、この空気通路５２を電動送風機室７側へ通じるように構成している。また、電動送風機６の全周を覆う防音筒５３と保持体３３上部の空気通路５２をダクト５４でつないで、電動送風機６の排気風の一部が直接、保持体上部の空気通路５２に流れるようにしている。保持体３３の上部にはコード出口部２９とは反対方向で、かつ斜め方向に空気が噴出されるように空気孔５５を設けており、コードリール室２１の後方にはフィルター３２を内側に設けた排気口３１を設けている。
【００３８】
上記構成によって、保持体３３上部に設けた空気孔５５より噴出された気流を、斜め方向より噴出することにより、図に示すように、コード出口部より排出しようとする排気風と衝突させて排気の流れ方向を排気口３１側へと導くことができ、コードリール室２１の排気風はコード出口部２９からの排出を遮蔽され、全て、排気口３１を通過して大気中へと放出されるため掃除機本体から出る排気風は、全て、フィルター３２を通って排気口３１より排出された、きれいな排気であり、清潔感が向上する。
【００３９】
ここで、衝突によって排気風の流れ方向変化させる作用について説明する。
【００４０】
コードリール室２１内に溜まったコード出口部２９より排出しようとする排気風は、流量は多いが排気風速はさほど大きくない。それに比べて、保持体３３上部の空気孔５５より噴出される気流は、流量は少ないが、排気風の風速よりもはるかに速く噴出させているため、運動量保存の法則により、斜め下方に噴出した気流とコード出口部２９へ排出しようとする排気風を衝突させるとコード出口部２９の下方側へと流れが変わる。
【００４１】
また、電源コード２０の巻き取り時においても、コード出口部分２９に設けた空気孔５５から気流を噴出させることでコード表面に付着した細塵を除去できるようにするための、別の実施例として、図２２に示すように、電動送風機室７内に圧縮空気を確保する空気ボンベ５６を設け、空気ボンベ５６には大気より吸引空気を取り入れるための吸引通路５７と保持体３３の空気通路５５に空気を送る排気通路５８を設け、排気通路５８は電動送風機６の全周を覆う防音筒５３からのダクト５４と並列に空気通路５２に取り付けられている。
【００４２】
空気ボンベ５６にはブレーキペダル２５の操作に連動して圧縮空気を排出させるスイッチが入るように構成している。
【００４３】
上記構成によって、本体の運転時は電動送風機６からの排気を利用して、保持体３３に設けた空気孔５５から噴出する気流によってコード出口部２９から排出しようとする排気を遮蔽し、コード巻き取り時には、空気ボンベ５６からの圧縮空気が空気孔５５より噴出して、電源コード２０の表面に付着した細塵を吹飛ばして除去することができる。
【００４４】
【発明の効果】
以上のように本発明によれば、運転時、コード出口部より排気が出るのを抑え、かつ、電源コード巻き取り時にコード表面に付着した細塵を除去して、コード巻き取りの機能性を向上させた掃除機本体を提供できる。
【図面の簡単な説明】
【図１】本発明の第１の実施例を示す電気掃除機本体の中央断面図
【図２】同実施例の上方矢視からの組立状態図
【図３】同実施例の要部断面図
【図４】同実施例のコードリール部の断面図
【図５】同実施例のコードリール部ユニットの斜視図
【図６】同実施例の毛ブラシの斜視図
【図７】同実施例のコード出口部分の断面拡大図
【図８】別の実施例を示すコード出口部分の断面拡大図
【図９】同実施例における別の組立手段を示す斜視図
【図１０】別の実施例を示すコード出口部分の斜視図
【図１１】別の実施例を示すコード出口部分の斜視図
【図１２】別の実施例を示すコード出口部分の断面拡大図
【図１３】別の実施例を示すコード出口部分の断面拡大図
【図１４】別の実施例を示すコード出口部分の断面拡大図
【図１５】第２の実施例を示すコード出口部分の断面拡大図
【図１６】別の実施例を示すコード出口部分の断面拡大図
【図１７】別の実施例を示すコード出口部分の断面拡大図
【図１８】別の実施例を示すコード出口部分の断面拡大図
【図１９】第３の実施例を示すコード出口部分の断面拡大図
【図２０】第４の実施例を示すコード出口部分の断面拡大図
【図２１】同実施例の要部断面図
【図２２】別の実施例を示す上方矢視からの部分状態図
【図２３】従来例を示す中央断面図
【図２４】同実施例の上方矢視からの組立状態図
【図２５】同実施例の要部断面図
【符号の説明】
６  電動送風機
２０  電源コード
２２  コードリール
２５  ブレーキペダル
２９  コード出口部
３０  コードプラグ
３１  排気口
３４  保持溝
３５  毛ブラシ（排気放出防止手段）
３８  切り欠き部
３９  硬質の毛
４０  軟質の毛
４１  保持部
４３  バネ
４５  凸部
４６  フランジ部
４７  凸部
４８  カバー体
５５  空気孔
５６  空気ボンベ
【図１】
0003589215.tif 000002
【図２】
0003589215.tif 000003
【図３】
0003589215.tif 000004
【図４】
0003589215.tif 000005
【図５】
0003589215.tif 000006
【図６】
0003589215.tif 000007
【図７】
0003589215.tif 000008
【図８】
0003589215.tif 000009
【図９】
0003589215.tif 000010
【図１０】
0003589215.tif 000011
【図１１】
0003589215.tif 000012
【図１２】
0003589215.tif 000013
【図１３】
0003589215.tif 000014
【図１４】
0003589215.tif 000015
【図１５】
0003589215.tif 000016
【図１６】
0003589215.tif 000017
【図１７】
0003589215.tif 000018
【図１８】
0003589215.tif 000019
【図１９】
0003589215.tif 000020
【図２０】
0003589215.tif 000021
【図２１】
0003589215.tif 000022
【図２２】
0003589215.tif 000023
【図２３】
0003589215.tif 000024
【図２４】
0003589215.tif 000025
【図２５】
0003589215.tif 000026